(57)【要約】    【課題】  硬くて比較的鋭利な角部を有する物の角部に接近したり取り扱う者の傷害を防止することができるとともに、角部の破損を防止することのできる、硬い角部用被覆用具を提供すること。    【解決手段】  角部用被覆用具１は、弾性材料によって断面形状に鈍角部２を有する略棒状もしくは略板状に形成され、二の面により形成される屋根状の角部を被覆できる構成を基本とする。鈍角部２の角度は、用具１が適用される屋根状の角部の角度に合うように、予め形成されたものとするのがよい。また軸方向の一端部に、屋根状の角部に続いて設けられる三以上の面により形成される端部の角部を被覆できる鉤状部３が設けられた構成とする。【選択図】  図１  
0003115906.tif 000002
【実用新案登録請求の範囲】
【請求項１】
石製品などの硬い角部を被覆する用具であって、該用具は弾性材料によって、断面形状に鈍角部を有する略棒状もしくは略板状に形成されており、二の面により形成される屋根状の角部を被覆できることを特徴とする、硬い角部用被覆用具。
【請求項２】
前記用具の軸方向の一端部には、前記屋根状の角部に続いて設けられる三以上の面により形成される端部の角部を被覆できるように鉤状部が設けられていることを特徴とする、請求項１に記載の硬い角部用被覆用具。
【請求項３】
前記弾性材料はゴムまたはウレタン樹脂であることを特徴とする、請求項１または２に記載の硬い角部用被覆用具。
【請求項４】
前記弾性材料は透光性であることを特徴とする、請求項１ないし３のいずれかに記載の硬い角部用被覆用具。
【考案の詳細な説明】
【技術分野】
【０００１】
本考案は硬い角部用被覆用具に係り、特に、石灯籠等の硬くて比較的鋭利な角部を有する物に接する者の傷害を防止できるとともに、角部の破損を防止することのできる、硬い角部用被覆用具に関する。
【背景技術】
【０００２】
従来、石灯籠に関する新規技術の提案としては、特許文献に挙げるようなものがなされている（特許文献１、２）。
【特許文献１】特開平０９−１０２２０６（雪中石灯籠）
【特許文献２】特公平０６−０６１７７２（石灯籠及びその製造法）
【考案の開示】
【考案が解決しようとする課題】
【０００３】
さて、角墓前灯籠においては従来、鋭利な灯籠の角で怪我をするとか、掃除の際に角にぶつかって痛い思いをするということがあった。また角が尖っているため、手桶やほうきがぶつかって欠けてしまうということも、少なくなかった。したがって、このような鋭利な角部を有する構造物等における危険防止、破損防止が求められていた。
【０００４】
本考案が解決しようとする課題は、かかる上記従来技術の問題点を解消し、石灯籠、角墓前灯籠のように硬くて比較的鋭利な角部を有する物の角部に接近したり取り扱う者の傷害を防止することができるとともに、角部の破損を防止することのできる、硬い角部用被覆用具を提供することである。
【課題を解決するための手段】
【０００５】
本願考案者は上記課題について検討した結果、弾性材料を用いた被覆用具を新たに構成することによりこれを解決できることを見出し、本考案に至った。すなわち、上記課題を解決するための手段として本願で実用新案登録請求される考案、もしくは少なくとも開示される考案は、以下の通りである。
【０００６】
（１）  石製品などの硬い角部を被覆する用具であって、該用具は弾性材料によって、断面形状に鈍角部を有する略棒状もしくは略板状に形成されており、二の面により形成される屋根状の角部を被覆できることを特徴とする、硬い角部用被覆用具。
（２）  前記用具の軸方向の一端部には、前記屋根状の角部に続いて設けられる三以上の面により形成される端部の角部を被覆できるように鉤状部が設けられていることを特徴とする、（１）に記載の硬い角部用被覆用具。
（３）  前記弾性材料はゴムまたはウレタン樹脂であることを特徴とする、（１）または（２）に記載の硬い角部用被覆用具。
（４）  前記弾性材料は透光性であることを特徴とする、（１）ないし（３）のいずれかに記載の硬い角部用被覆用具。
【考案の効果】
【０００７】
本考案の硬い角部用被覆用具は上述のように構成されるため、これによれば、石灯籠、角墓前灯籠のように硬くて比較的鋭利な角部を有する物に接近したり、取り扱う者の傷害を防止することができるとともに、角部を保護してその破損を簡便かつ低コスト、効果的に防止することができる。
【０００８】
また、本用具を透光性の材料すなわち透明、半透明などの材料により構成することにより、本用具を常時取り付けたままにしておいても、外観を損ねることがない。したがって、本用具を角墓前灯籠に適用する場合は、多くはデザイン重視で設置される灯籠の美観を損ねることがない。
【０００９】
本用具の材質は特に限定されないが、強度、耐候性に優れたものを適宜使用でき、また、硬い角部への接着、取り替えも手間がかからず便利である。
【００１０】
もちろん本発明の硬い角部用被覆用具は、灯籠のみに適用されるものではなく、灯籠のように鋭利な角部を有する物における、取扱者等の傷害防止、角部の破損防止に広く適用できるものである。
【考案を実施するための最良の形態】
【００１１】
以下、本考案を図面により詳細に説明する。
図１は、本考案の硬い角部用被覆用具の基本構成例を示す斜視図である。図示されるように本用具１は、弾性材料によって、断面形状に鈍角部２を有する略棒状もしくは略板状に形成されており、二の面により形成される屋根状の角部を被覆できるように構成されていることを基本とする。該鈍角部２の角度は、本用具１が適用される屋根状の角部の角度に合うように、予め形成されたものとするのがよい。
【００１２】
かかる構成により本用具１を用いれば、屋根状の角部に該鈍角部２を接着して、これを被覆することができる。本用具１は弾性材料によりなるため、屋根状の角部が直線状、曲線状のいずれであっても、その形状に適合させて変形させ、これに取り付けることができる。接着は、コーキング剤など適宜の接着手段を用いて容易に行うことができる。
【００１３】
本用具１によって石灯籠その他の物の鋭利な硬い角部を被覆できるため、これらの物に接近する場合、あるいは取り扱う場合における傷害の危険を有効に防止できるとともに、角部の不用意な破損を防止することもできる。
【００１４】
本用具１の軸方向長さは、特に限定されない。たとえば、各種の長さのものを取り揃えることとしてもよいし、あるいはまた、必要とされる最長のものを製造し、使用時にはこれを適宜の長さに切断できるものとしてもよい。
【００１５】
図２は、本考案の硬い角部用被覆用具の別の基本構成例を示す斜視図である。図示されるように本用具２１も、図１に示した構成例と同様の基本的構成を有するが、その断面形状が異なるものである。つまり本用具の断面形状は、屋根状の角部に適合するようなもしくは隙間無く被覆できるような前記鈍角部があればよいのであり、図１のように全体形状が山形であっても、図２のように扇形であっても、あるいはまたその他の形状であってもよい。
【００１６】
図１、２に示されるように本発明の硬い角部用被覆用具１、２１は、その軸方向の一端部に、前記屋根状の角部に続いて設けられる三以上の面により形成される端部の角部を被覆できるように鉤状部３、２３が設けられた構成とすることができる。
【００１７】
かかる構成により、本用具１、２１を用いれば、単に屋根状の角部だけではなくその端部の角部をも被覆、保護でき、傷害防止効果、角部の破損防止効果をより徹底することができる（後述の図４、６参照）。
【００１８】
以上説明した本発明の硬い角部用被覆用具を構成する弾性材料としては、ゴムまたはウレタン樹脂を好適に用いることができる。ゴムは、合成か天然かを問わない。また、特に透光性の弾性材料を用いることもできる。これにより、角墓前灯籠のようにデザインが重視される物に適用する場合、本用具をできる限り目立たなくして、外観を損なうことのないようにすることができる。
【００１９】
ゴム製品、ウレタン製品は加工が容易かつ安価で購入でき、また強度や耐候性も優れたものがある。また透明な製品もあり、接着もコーキングで十分な接着ができる。さらに本用具を取り替える場合も、カッター等で容易に切り取ることができ、便利である。
【実施例】
【００２０】
＜実施例１＞
図３は断面形状が山形の本考案用具実施例１の（ａ）平面図、（ｂ）底面図および（ｃ）正面図である。また、
図４は実施例１を角墓前灯籠に適用した例を示す斜視図である。
＜実施例２＞
図５は断面形状が扇形の本考案用具実施例２の（ａ）平面図、（ｂ）底面図および（ｃ）正面図である。また、
図６は実施例２を角墓前灯籠に適用した例を示す斜視図である。
【００２１】
これらに図示されるように、いずれの実施例においても、本用具を取り付けた外観は、灯籠のデザインに寄与することこそあれ決して損なうことがなく、かつ確実に傷害危険防止、角部破損防止効果を発揮することができる。
【産業上の利用可能性】
【００２２】
本考案の硬い角部用被覆用具によれば、石灯籠、角墓前灯籠のように硬くて比較的鋭利な角部を有する物における傷害防止効果、角部の保護、破損防止効果を得ることができ、産業上利用価値の高い考案である。
【図面の簡単な説明】
【００２３】
【図１】本考案の硬い角部用被覆用具の基本構成例を示す斜視図である。
【図２】本考案の硬い角部用被覆用具の別の基本構成例を示す斜視図である。
【図３】断面形状が山形の本考案用具実施例１の（ａ）平面図、（ｂ）底面図および（ｃ）正面図である。
【図４】実施例１を角墓前灯籠に適用した例を示す斜視図である。
【図５】断面形状が扇形の本考案用具実施例２の（ａ）平面図、（ｂ）底面図および（ｃ）正面図である。
【図６】実施例２を角墓前灯籠に適用した例を示す斜視図である。
【符号の説明】
【００２４】
１、２１、３１、５１…硬い角部用被覆用具
２、２２…鈍角部
３、２３…鉤状部
３６、５６…灯籠
【図１】
0003115906.tif 000003
【図２】
0003115906.tif 000004
【図３】
0003115906.tif 000005
【図５】
0003115906.tif 000006
【図４】
0003115906.tif 000007
【図６】
0003115906.tif 000008